(57)【要約】【課題】洗面器に残った水を排水する際の負担を軽減する置き台を提供すること。【解決手段】浴室１２の壁面１６に設けられる洗面器置台１０であって、洗面器Ｖを載置可能な平坦部１１２と、平坦部１１２から連続して下向きに傾斜し正面視で平坦部１１２の左右の少なくとも一方側に設けられた傾斜部としての第１壁部１２４と、第１壁部１２４の終端側に設けられ洗面器Ｖの滑り落ちを洗面器Ｖに接触して阻止する第１ストッパとしての第２壁部と、を洗面器置台１０が備えることで洗面器Ｖに残った水を排水する際の使用者Ｐの負担を軽減することができる。【選択図】図４
2010162139.tif 000002
【特許請求の範囲】
【請求項１】
水廻りに設けられる置き台であって、
洗面器を載置可能な平坦部と、
前記平坦部から連続して下向きに傾斜し、正面視で前記平坦部の左右の少なくとも一方側に設けられた傾斜部と、
前記傾斜部の終端側に設けられ、前記洗面器の滑り落ちを前記洗面器に接触して阻止する第１ストッパと、
を備える置き台。
【請求項２】
前記傾斜部の表面には傾斜方向に延びるリブが複数形成されている請求項１に記載の置き台。
【請求項３】
前記傾斜部の終端側に排水口が設けられている請求項１又は請求項２に記載の置き台。
【請求項４】
平面視で前記傾斜部の傾斜方向と直交する方向には、前記洗面器の滑り落ちを接触して阻止する第２ストッパが設けられている請求項３に記載の置き台。
【請求項５】
請求項１〜４の何れか１項に記載の置き台が設けられた浴室構造。
【発明の詳細な説明】
【技術分野】
【０００１】
本発明は、洗面器などを載置可能な置き台、及び、その置き台が設けられた浴室構造に関する。
【背景技術】
【０００２】
浴室の洗い場などには水栓が設けられている。この水栓の下方には洗面器や石鹸などを載置可能な置き台が設けられていることがある。この置き台は、浴室の壁面に取り付けられており、手前に椅子を配置し着座することで、洗面器や石鹸を使用する際に都度腰を屈める必要がない。
【０００３】
特許文献１では、浴室の洗い場の壁面に設けたカウンター（洗面器などの置き台）の手前側に着座した使用者（入浴者）に排水がかからないようにするため、カウンターの手前に縁部（水返し）、及びこの縁部の内側に排水用の溝部を設けている。
【先行技術文献】
【特許文献】
【０００４】
【特許文献１】特開２００５−５２３１０号公報
【発明の概要】
【発明が解決しようとする課題】
【０００５】
ところで、洗面器に残った水を排水するには、洗面器を持ち上げて排水する必要があり入浴者の負担となる。特に、満水の洗面器を持ち上げるのは、入浴者の負担が大きい。
一方、特許文献１では、カウンターの手前側に着座した使用者に排水がかからないようにできるが、使用者が洗面器に残った水を排水する際の負担を軽減することはできない。
【０００６】
本発明は、上記事実を考慮して、洗面器に残った水を排水する際の負担を軽減することが可能な置き台、及び、その置き台が設けられた浴室構造を提供することを課題とする。
【課題を解決するための手段】
【０００７】
請求項１に記載の発明は、水廻りに設けられる置き台であって、洗面器を載置可能な平坦部と、前記平坦部から連続して下向きに傾斜し、正面視で前記平坦部の左右の少なくとも一方側に設けられた傾斜部と、前記傾斜部の終端側に設けられ、前記洗面器の滑り落ちを前記洗面器に接触して阻止する第１ストッパと、を備える置き台である。
【０００８】
請求項１に記載の置き台では、平坦部に載置した洗面器を傾斜部へスライドさせると、洗面器が傾き、そして、第１ストッパに接触して洗面器の滑り落ち方向の移動が阻止される。ここで、洗面器が満水の場合には、洗面器を傾斜部へスライドさせることで、洗面器が傾いて傾きに応じた量の湯水が洗面器から流れ出す。つまり、洗面器を平坦部から傾斜部へスライドさせるという、洗面器を持ち上げて排水するよりも負担の少ない動作で、洗面器から傾きに応じた量の湯水を排水することができる。
【０００９】
そして、洗面器から傾きに応じた量の湯水が流れ出した後は、洗面器と第１ストッパとの接触部分を支点にして洗面器をさらに傾けることで洗面器に残った湯水が全て流れ出す。つまり、洗面器と第１ストッパとの接触部分を支点にして洗面器をさらに傾けるという、洗面器を持ち上げて排水するよりも負担の少ない動作で、洗面器から湯水を全て排水することができる。以上のことから、洗面器に残った水を排水する際の負担を軽減することができる。
【００１０】
また、洗面器を平坦部から傾斜部へスライドさせて洗面器から湯水を排水する場合に、湯水は正面視（水廻りに設けられた置き台を正面から見て）で平坦部の左右のどちらか一方に排水される。つまり、置き台の手前側に湯水が排水されないため、手前側の使用者に排水がかかるのが抑制される。
【００１１】
請求項２に記載の発明は、傾斜部の表面には傾斜方向に延びるリブが複数形成されている置き台である。
【００１２】
請求項２に記載の置き台では、傾斜部のリブが洗面器と接触するため、洗面器との接触面積が減少して洗面器との摩擦抵抗が低下する。また、隣接するリブ間の溝部分が排水路となるため、傾斜部の排水性が向上する。
【００１３】
請求項３に記載の発明は、前記傾斜部の終端側に排水口が設けられている置き台である。
【００１４】
請求項３に記載の置き台では、傾斜部に沿って流れる排水が排水口から排水される。これにより、傾斜部の終端側の排水性が向上する。
【００１５】
請求項４に記載の発明は、平面視（置き台を上方から見て）で前記傾斜部の傾斜方向と直交する方向には、前記洗面器の滑り落ちを阻止する第２ストッパが設けられている、置き台である。
【００１６】
請求項４に記載の置き台では、平面視で傾斜部の傾斜方向と直交する方向に第２ストッパを設けているため、傾斜部で傾いた洗面器が手前側に滑り落ちるのが阻止される。
【００１７】
請求項５に記載の発明は、請求項１〜４の何れか１項に記載の置き台が設けられた浴室構造である。
【００１８】
請求項５に記載の浴室構造では、請求項１〜４の何れか１項に記載の発明と同様の効果が得られる。
【発明の効果】
【００１９】
本発明の置き台、及び、その置き台が設けられた浴室構造によれば、洗面器に残った水を排水する際の負担を軽減することができる。
【図面の簡単な説明】
【００２０】
【図１】第１実施形態の洗面器置台が浴室の洗い場に設けられていることを示す斜視図である。
【図２】第１実施形態の洗面器置台を使用者が使用している状態を示す側面図である。
【図３】第１実施形態の洗面器置台の拡大斜視図である。
【図４】第１実施形態の洗面器置台の凹部に洗面器をスライドさせた状態を示す拡大斜視図である。
【図５】第１実施形態の洗面器置台の凹部に洗面器をスライドさせ、傾いた状態の洗面器をさらに傾かせた状態を示す側断面図である。
【図６】（Ａ）第２実施形態の洗面器置台の拡大斜視図である。（Ｂ）図６（Ａ）のＸ−Ｘ線断面図である。
【発明を実施するための形態】
【００２１】
以下、実施形態を挙げ、本発明の実施の形態について説明する。なお、第２実施形態以下では、既に説明した構成要素と同様のものについては同じ符号を付して、その説明を省略する。
【００２２】
［第１実施形態］
まず、第１実施形態について説明する。
図１に示すように、本実施形態の置き台は洗面器用の洗面器置台１０であり、この洗面器置台１０は、浴室１２の洗い場１４の壁面１６に取り付けられている。なお、図１に示す浴室１２は、浴槽１８の近くに洗い場１４が設けられている。また、本実施形態では、浴室１２をユニットバスとしている。
【００２３】
洗い場１４の壁面１６には、鏡２０と、鏡２０の下方に水栓２２が設けられており、この水栓２２は湯水を吐出する蛇口２４を備えている。また水栓２２はシャワーホース２６を備えており、このシャワーホース２６の下流端（先端）にはシャワーヘッド２８が取付けられている。シャワーヘッド２８は、シャワーヘッド２８を保持するヘッド保持部３０によって保持され、このヘッド保持部３０は、壁面１６の水栓２２よりも右斜め上方に設けられている。
【００２４】
図２に示すように、上記の洗面器置台１０は、壁面１６の水栓２２の下方に配置されている。この洗面器置台１０の床からの高さは、使用者Ｐ（入浴者）が椅子Ｃに腰掛けたときに、洗面器置台１０上の後述する平坦部１１２に載置した洗面器Ｖの湯水を洗顔や洗体などに使い易いような高さとされている。なお、洗面器置台１０の寸法は、やや大きめの寸法の洗面器Ｖ（例えば直径３０ｃｍ）を置き易い寸法に設定することが好ましい。
【００２５】
また、図３に示すように、洗面器置台１０は、平面視（洗面器置台１０を上方から見て）で略矩形状となっており、手前側（壁面１６から離れる側）の縁が湾曲して張り出し、手前側の縁と洗面器置台１０の幅方向（以下、幅方向Ｗと記載する）の両側の縁との角部分が滑らかに湾曲している。
【００２６】
なお、本実施形態では、平面視で洗面器置台１０の形状を上述の形状としているが、洗面器置台１０の形状は上述の形状に限定されない。例えば、平面視で半円状、楕円を半分に切断した半楕円状、多角形状の何れであってもよい。
【００２７】
洗面器置台１０の上面には洗面器Ｖを載置可能な略水平な平坦部１１２が形成され、この平坦部１１２を挟んで幅方向Ｗの両側には凹部１２０が形成されている。この凹部１２０は、幅方向Ｗの平坦部１１２側の第１壁部１２２（傾斜部の一例）と、この第１壁部よりも幅方向Ｗの外側（平坦部１１２から離れる側）の第２壁部１２４（第１ストッパの一例）と、手前側の第３壁部１２６（第２ストッパの一例）と、奥側の第４壁部１２８と、底部１３０とを有している。
【００２８】
第１壁部１２２は、平坦部１１２の幅方向Ｗの端部から連続し、幅方向Ｗの外側、且つ下方へ傾斜している。なお、図５では、第１壁部１２２が左斜め下に傾斜している。この第１壁部１２２の傾斜は、第１壁部１２２の表面に洗面器Ｖを載置した場合に、傾いた洗面器Ｖから湯水がある程度流れ出すような傾きとすることが好ましい。
【００２９】
第２壁部１２４は、本実施形態では、水平方向と直交する方向に延びている。この第２壁部１２４は、第１壁部１２２に洗面器Ｖを載置した場合に、傾いた洗面器Ｖに接触して下方へ移動するのを阻止する、つまり、洗面器Ｖが第１壁部１２２を滑り落ちるのを阻止する機能するようになっている。なお、第２壁部１２４は、洗面器Ｖが第１壁部１２２を滑り落ちるのを阻止できれば、水平方向と直交する方向に傾斜して延びていてもよい。
【００３０】
底部１３０には排水口１３２が形成されている。この排水口１３２は円形断面の丸孔となっており、複数形成されている。なお、排水口１３２に図示しない栓をしておき、凹部１２０に排水が溜まってから栓を抜く構成としてもよい。
【００３１】
なお、本実施形態では、平坦部１１２を平坦な形状としているが、洗面器置台１０の壁面１６への取付誤差や製造誤差などを考慮して０〜１度程度の勾配があっても平坦な形状とみなすものとする。
【００３２】
また、本実施形態では、凹部１２０が平坦部１１２を挟んで幅方向Ｗの両側に形成される構成としているが、本発明はこの構成に限定される必要はなく、凹部１２０は、平坦部１１２の幅方向Ｗの一方側に形成される構成でもよい。
【００３３】
（作用、効果）
以下、本実施形態の作用、効果について説明する。
図３に示すように、平坦部１１２に載置した洗面器Ｖ内に湯水を注ぎ込んで満水とした状態で、使用者Ｐが洗面器Ｖを凹部１２０へスライドさせると、洗面器Ｖの底部が第１壁部１２２に乗り上げ、洗面器Ｖが第１壁部１２２に沿って下方へ移動する。そして、洗面器Ｖが第２壁部１２４に接触すると下方への移動が阻止される（図４参照）。このとき、洗面器Ｖが傾いた状態となり、洗面器Ｖの傾きに応じた量の湯水が洗面器Ｖから流れ出す。つまり、洗面器Ｖを平坦部１１２から凹部１２０へスライドさせるという、洗面器を持ち上げて排水するよりも負担の少ない動作で、洗面器Ｖから傾きに応じた量の湯水を排水することができる。これにより、洗面器Ｖを持ち上げる際の負担が軽減される。
【００３４】
そして、洗面器Ｖから傾きに応じた量の湯水が流れ出した後は、図５に示すように、洗面器Ｖの上方に持ち上がった側の縁部分を把持し、洗面器Ｖと第２壁部１２４との接触部分を支点にして洗面器Ｖをさらに傾けることで洗面器Ｖに残った湯水が全て排水流れ出す。つまり、洗面器Ｖと第１壁部１２２との接触部分を支点にして洗面器Ｖをさらに傾けるという、洗面器を持ち上げて排水するよりも負担の少ない動作で、洗面器Ｖに残った湯水を全て排水することができる。
このようにして洗面器置台１０の凹部１２０を用いることで、洗面器Ｖに残った水を排水する際の負担を軽減することができる。
【００３５】
また、凹部１２０に流れ込む排水が排水口１３２を通して排水される。これにより、凹部１２０の排水性が向上する。
さらに洗面器Ｖを平坦部１１２から凹部１２０へスライドさせて洗面器Ｖから湯水を排水する際に、湯水は正面視で平坦部１１２の左右のどちらか一方に排水される。つまり、洗面器置台１０の手前側に湯水が排水されないため、手前側の使用者Ｐに排水がかかるのが抑制される。
【００３６】
また、洗面器置台１０では、洗面器Ｖが第１壁部１２２で下向きに傾いた状態となった場合に、凹部１２０の第３壁部１２６が洗面器Ｖの手前側への移動を阻止するため、洗面器Ｖが手前側に滑り落ちるのが阻止される。
【００３７】
［第２実施形態］
次に、第２実施形態について説明する。図６に示すように、本実施形態の洗面器置台４０では、第１実施形態と比べて凹部の第１壁部に複数のリブが形成されている。
【００３８】
具体的に説明すると、図６（Ａ）に示すように、洗面器置台４０の凹部１６０の第１壁部１６２には、第１壁部１６２の傾斜方向に延びる複数のリブ１７４が形成されている。このリブ１７４は、図６（Ｂ）の第１壁部１６２のＸ−Ｘ線断面図に示すように、角部が湾曲した形状となっている。なお、隣接するリブ１７４間の溝部分は、第１壁部１６２から底部１３０へ排水を流す排水路となっている。
【００３９】
本実施形態によれば、第１壁部１６２のリブ１７４が洗面器Ｖと接触するため、洗面器Ｖとの接触面積が減少し、両者間の摩擦抵抗が低下する。これにより、洗面器Ｖの第１壁部１６２の上端から第２壁部１２４までの移動がスムーズになる。また、隣接するリブ１７４間の溝部分が排水路となるため、凹部１２０の排水性が向上する。
【００４０】
［その他の実施形態]
上述の実施形態では、洗面器置台１０の上面に凹部１２０を形成する構成としたが、本発明はこの構成に限定される必要はなく、凹部１２０の代わりに平坦部１１２の幅方向Ｗの端部から幅方向外側で且つ下方へ延びる傾斜部、及びこの傾斜部よりも幅方向Ｗの外側（傾斜部の終端側）にストッパを設ける構成としてもよい。なお、ストッパは、洗面器Ｖの下方への移動、すなわち洗面器Ｖの滑り落ちを阻止することができれば、どのような形状でもよく、例えば、複数のピン状部材としてもよい。同様に、平面視で傾斜部の傾斜方向と直交する方向にピン状部材を設けて洗面器Ｖの手前側への滑り落ちを防止してもよい。
【００４１】
また、上述の実施形態では、排水口１３２を円形断面の丸孔とする構成としたが、本発明はこの構成に限定される必要はなく、多角形断面などの種々の断面形状の貫通孔であってもよい。なお、排水口の出口は、台本体の底面以外に台本体の幅方向の両側面に形成してもよい。
【００４２】
さらに、第２の実施形態では、第１壁部１６２にリブ１７４を設ける構成としたが、本発明はこの構成に限定されず、リブ１７４が幅方向Ｗの一端側から他端側へと延び、このリブ１７４の中央部分の上面が洗面器Ｖを載置する平坦部１１２を構成してもよい。
【００４３】
そして、上述の実施形態では、洗面器置台が水栓２２の下方に配置されたが、本発明はこの構成に限定される必要はなく、洗面器置台は浴室１２内であれば何れの場所に設けてもよい。例えば、浴槽１８の上縁部に設けてもよい。
【００４４】
また、上述の実施形態では、本発明の置き台を浴室１２に設ける構成としているが、本発明はこの構成に限定される必要はなく、例えば、台所、洗面所などの水廻りに設ける構成としてもよい。
【００４５】
またさらに、上述の実施形態では、凹部１２０が平坦部１１２を挟んで幅方向Ｗの両側に形成される構成としているが、本発明はこの構成に限定される必要はなく、凹部１２０を平坦部１１２の手前側にも形成する構成としてもよい。
【００４６】
以上、実施形態を挙げて本発明の実施の形態を説明したが、これらの実施形態は一例であり、要旨を逸脱しない範囲内で種々変更して実施できる。
また、第２実施形態以下では、洗面器の置き台（洗面器置台）に傾斜部及びストッパ部が形成されていることによる効果の記載を省略しているが、このことに関しては第１実施形態と同様の効果を奏する。
なお、本発明の権利範囲がこれらの実施形態に限定されないことは言うまでもない。
【符号の説明】
【００４７】
１０     洗面器置台（置き台）
１２     浴室
４０     洗面器置台（置き台）
１１２   平坦部
１２０   凹部
１２２   第１壁部（傾斜部）
１２４   第２壁部（ストッパ部）
１３２   排水口
１６０   凹部
１６２   第１壁部（傾斜部）
１７４   リブ
Ｖ       洗面器
Ｗ       幅方向
【図１】
2010162139.tif 000003
【図２】
2010162139.tif 000004
【図３】
2010162139.tif 000005
【図４】
2010162139.tif 000006
【図５】
2010162139.tif 000007
【図６】
2010162139.tif 000008